(57)【要約】  骨伝導用ヘッドセットに関する発明が開示される。本発明の骨伝導用ヘッドセットは、使用者の頭の後側を帯状に包み込む載置部と、載置部の両側に着脱自在に連結され、使用者の耳に掛けられるための取付溝部を形成する引っ掛け胴体部と、引っ掛け胴体部に着脱自在に連結され、使用者の頭に密着されて振動で音を伝達する骨伝導部と、を備え、骨伝導部の外側は、弾性を有する材質から成形されることを特徴とする。
2019508916.tif 000002
【特許請求の範囲】
【請求項１】
使用者の頭の後側を帯状に包み込む載置部と、
前記載置部の両側に着脱自在に連結され、前記使用者の耳に掛けられるための取付溝部を形成する引っ掛け胴体部と、
前記引っ掛け胴体部に着脱自在に連結され、前記使用者の頭に密着されて振動で音を伝達する骨伝導部と、
を備え、
前記骨伝導部の外側は、弾性を有する材質から成形されることを特徴とする骨伝導用ヘッドセット。
【請求項２】
前記載置部は、
弾性を有する材質から成形され、前記使用者の頭の後側と対向する個所に設けられるバンド状の載置胴体と、
前記載置胴体に結合し、金属物質から成形されて前記載置胴体の構造の剛性を補強する補強部材と、
前記使用者の頭の後側と対向する前記載置胴体から突出し、前記載置胴体に沿って長手方向に延びる内側突起部と、
を備えることを特徴とする請求項１に記載の骨伝導用ヘッドセット。
【請求項３】
前記引っ掛け胴体部は、
一方の側は前記載置胴体の両側にそれぞれ連結され、他方の側は前記骨伝導部の端部に結合し、下側に向かって凹んだ形状に前記取付溝部を形成し、前記使用者の耳に掛けられる一対の連結胴体と、
一対の前記連結胴体のうちの少なくともどちらか一方に設けられ、前記骨伝導部の動作を制御する操作制御部と、
を備えることを特徴とする請求項２に記載の骨伝導用ヘッドセット。
【請求項４】
前記骨伝導部は、
前記連結胴体に着脱自在に連結され、弾性を有する材質から成形されるコネクター胴体と、
前記コネクター胴体から前記使用者の頭に向かって突出する載置溝部と、
前記載置溝部の内側に挿入され、オーディオ信号に対応する振動を発生させて前記使用者の頭に振動を伝達する振動伝達部と、
を備えることを特徴とする請求項３に記載の骨伝導用ヘッドセット。
【請求項５】
前記骨伝導部は、前記振動伝達部と対向する前記載置溝部の内側に位置し、前記振動伝達部において発生した振動を低減させる振動低減部材を更に備えることを特徴とする請求項４に記載の骨伝導用ヘッドセット。
【請求項６】
前記振動伝達部は、
骨伝導用振動子の外側を包み、前記載置溝部に挿入される振動伝達胴体と、
前記振動伝達胴体から延びて前記載置溝部の外側に引っ掛けられ、前記使用者の頭と接触される突出係止部と、
を備えることを特徴とする請求項４に記載の骨伝導用ヘッドセット。
【請求項７】
前記操作制御部と無線で連結され、データの送受信が行われる端末を備え、
前記端末にインストールされたアップを制御して前記操作制御部及び前記骨伝導部の動作を制御することを特徴とする請求項３に記載の骨伝導用ヘッドセット。
【請求項８】
前記載置部と、前記引っ掛け胴体部と、前記骨伝導部とのうちの少なくともいずれか一つに設けられ、前記使用者の動作を感知して前記操作制御部に測定値を伝達する動作感知部を更に備えることを特徴とする請求項７に記載の骨伝導用ヘッドセット。
【請求項９】
前記載置部と、前記引っ掛け胴体部と、前記骨伝導部とのうちの少なくともいずれか一つに設けられ、音を感知して前記操作制御部に測定値を伝達する音響受信部を更に備えることを特徴とする請求項７に記載の骨伝導用ヘッドセット。
【発明の詳細な説明】
【技術分野】
【０００１】
本発明は、骨伝導用ヘッドセットに係り、更に詳しくは、骨伝導方式で音を伝達し、長時間に亘って着用しても不便が加重されない骨伝導用ヘッドセットに関する。
【背景技術】
【０００２】
一般に、人間の耳に聞こえる音は、波動状に伝達される。外部の音は、人間の外耳を介して入って鼓膜を振動させ、鼓膜の内側の内耳で細胞が刺激を受けて脳に伝達される。人間が聴取可能な音の周波数範囲は、約２０〜２００００Ｈｚであり、人間が話し合う音の周波数範囲は、約５００〜２０００Ｈｚである。
【０００３】
しかしながら、難聴者の場合には、音の周波数範囲のうち、全ての周波数又は一部の周波数の音を聴取できない虞がある。したがって、最近には、頭蓋骨の振動を通じて音を伝達する骨伝導方式が用いられる。
【０００４】
骨伝導方式は、頭蓋骨を振動させた音が蝸牛殻に伝達され、聴覚神経を経て脳に伝達する方式である。耳の周りの骨を振動させて音を伝達するので、聴覚に障害がある（耳の不自由な人）だけではなく、騒音の激しい現場で作業する人間も有用に使用することができる。
【０００５】
従来には、骨伝導方式のヘッドセットが単なる音伝達の機能しかしないため、多種多様な機能を実現することが困難であり、長時間に亘って着用するときに人体と接する部品の剛性によって使用者の不便が加重されてしまうという問題がある。したがって、これを改善する必要がある。
【０００６】
本発明の背景技術は、大韓民国登録特許公報第１６６５２８４号（２０１６年１０月０５日付け登録、発明の名称：テレマケーティング用骨伝導ヘッドセット装置及びこれを備えるストレスモニタリングシステム）に開示されている。
【発明の概要】
【発明が解決しようとする課題】
【０００７】
本発明は、上記の如き問題を改善するために創出されたものであり、本発明の目的は、骨伝導方式で音を伝達し、長時間に亘って着用しても不便が加重されない骨伝導用ヘッドセットを提供することである。
【課題を解決するための手段】
【０００８】
本発明に係る骨伝導用ヘッドセットは、使用者の頭の後側を帯状に包み込む載置部と、載置部の両側に着脱自在に連結され、使用者の耳に掛けられるための取付溝部を形成する引っ掛け胴体部と、引っ掛け胴体部に着脱自在に連結され、使用者の頭に密着されて振動で音を伝達する骨伝導部と、を備え、骨伝導部の外側は、弾性を有する材質から成形されることを特徴とする。
【０００９】
また、載置部は、弾性を有する材質から成形され、前記使用者の頭の後側と対向する個所に設けられるバンド状の載置胴体と、載置胴体に結合し、金属物質から成形されて載置胴体の構造の剛性を補強する補強部材と、使用者の頭の後側と対向する載置胴体から突出し、載置胴体に沿って長手方向に延びる内側突起部と、を備えることを特徴とする。
【００１０】
更に、引っ掛け胴体部は、一方の側は載置胴体の両側にそれぞれ連結され、他方の側は骨伝導部の端部に結合し、下側に向かって凹んだ形状に取付溝部を形成し、使用者の耳に掛けられる一対の連結胴体と、一対の連結胴体のうちの少なくともどちらか一方に設けられ、骨伝導部の動作を制御する操作制御部と、を備えることを特徴とする。
【００１１】
更にまた、骨伝導部は、連結胴体に着脱自在に連結され、弾性を有する材質から成形されるコネクター胴体と、コネクター胴体から使用者の頭に向かって突出する載置溝部と、載置溝部の内側に挿入され、オーディオ信号に対応する振動を発生させて使用者の頭に振動を伝達する振動伝達部と、を備えることを特徴とする。
【００１２】
更にまた、骨伝導部は、振動伝達部と対向する前記載置溝部の内側に位置し、振動伝達部において発生した振動を低減させる振動低減部材を更に備えることを特徴とする。
【００１３】
更にまた、振動伝達部は、骨伝導用振動子の外側を包み、載置溝部に挿入される振動伝達胴体と、振動伝達胴体から延びて載置溝部の外側に引っ掛けられ、使用者の頭と接触される突出係止部と、を備えることを特徴とする。
【００１４】
更にまた、本発明は、操作制御部と無線で連結され、データの送受信が行われる端末を備え、端末にインストールされたアップを制御して操作制御部及び骨伝導部の動作を制御することを特徴とする。
【００１５】
更にまた、載置部と、引っ掛け胴体部と、骨伝導部とのうちの少なくともいずれか一つに設けられ、使用者の動作を感知して操作制御部に測定値を伝達する動作感知部を更に備えることを特徴とする。
【００１６】
更にまた、載置部と、引っ掛け胴体部と、骨伝導部とのうちの少なくともいずれか一つに設けられ、音を感知して操作制御部に測定値を伝達する音響受信部を更に備えることを特徴とする。
【発明の効果】
【００１７】
本発明に係る骨伝導用ヘッドセットは、載置部と、引っ掛け胴体部及び骨伝導部が着脱自在に設けられ、製品が破損したときに当該部品のみを取り替えることができるので、メンテナンスコストを節減することができる。
【００１８】
また、使用者の頭に振動を伝達する骨伝導方式で音を伝達するので、長時間に亘ってヘッドセットを着用しても不便が加重されず、聴力を保護することができる。
【００１９】
更に、弾性を有する材質から成形される骨伝導部が使用者の頭に接しながら弾性変形されるので、骨伝導部が使用者の頭に柔らかく密着されて着用感（フィット感）を向上させることができ、骨伝導部によって発生された音が外側に漏れ出る現象を防ぐことができる。
【００２０】
更にまた、音響受信部によって測定された値に基づいて骨伝導部が動作して補聴器の機能を行うので、使用者の使い勝手を向上させることができる。
【００２１】
加えて、使用者が歩いたり走ったりする動作を感知する動作感知部を用いて使用者の運動量を計算した後、端末を介して使用者に通知することができるので、使用者の運動量を手軽に測定することができる。
【図面の簡単な説明】
【００２２】
【図１】本発明の一実施形態に係る骨伝導用ヘッドセットの構造を概略的に示す斜視図である。
【図２】本発明の一実施形態に係る骨伝導用ヘッドセットの構造を概略的に示す斜視図である。
【図３】本発明の一実施形態に係る骨伝導用ヘッドセットの主な構成を分解して示す斜視図である。
【図４】本発明の一実施形態に係る骨伝導部を分解して示す斜視図である。
【図５】本発明の一実施形態に係る骨伝導用ヘッドセットの出力音響周波数を示すグラフである。
【図６】本発明の一実施形態に係る骨伝導用ヘッドセットを着用した状態を概略的に示す図である。
【図７】本発明の一実施形態に係る骨伝導用ヘッドセットの第１の距離及び第２の距離を示す図である。
【図８】本発明の一実施形態に係る骨伝導用ヘッドセットのブロック図である。
【発明を実施するための形態】
【００２３】
以下、添付図面を参照して本発明の一実施形態に係る骨伝導用ヘッドセットについて説明する。この過程で、図面に示す線の太さや構成要素の大きさなどは説明の明瞭性及び便宜性のために誇張されて示されていてもよい。
【００２４】
また、後述する用語は、本発明における機能を考慮して定義された用語であり、これらは、使用者、運用者の意図又は慣例に応じて異なってくる場合がある。よって、これらの用語に対する定義は、本明細書の全般にわたっての内容に基づいて行われるべきである。
【００２５】
図１及び図２は、本発明の一実施形態に係る骨伝導用ヘッドセットの構造を概略的に示す斜視図であり、図３は、本発明の一実施形態に係る骨伝導用ヘッドセットの主な構成を分解して示す斜視図である。また、図４は、本発明の一実施形態に係る骨伝導部を分解して示す斜視図であり、図５は、本発明の一実施形態に係る骨伝導用ヘッドセットの出力音響周波数を示すグラフであり、図６は、本発明の一実施形態に係る骨伝導用ヘッドセットを着用した状態を概略的に示す図である。更に、図７は、本発明の一実施形態に係る骨伝導用ヘッドセットの第１の距離及び第２の距離を示す図であり、図８は、本発明の一実施形態に係る骨伝導用ヘッドセットのブロック図である。
【００２６】
本発明の一実施形態に係る骨伝導用ヘッドセット１は、使用者の頭の後側を帯状に包み込む載置部１０と、載置部１０の両側に着脱自在に連結され、使用者の耳に掛けられるための取付溝部２４を形成する引っ掛け胴体部２０と、引っ掛け胴体部２０に着脱自在に連結され、使用者の頭に密着されて振動で音を伝達する骨伝導部３０と、を備え、骨伝導部３０の外側は、弾性を有する材質から成形されることを特徴とする。
【００２７】
載置部１０は、使用者の頭の後側を帯状に包み込む技術思想内において種々の形状に形成可能である。一実施形態に係る載置部１０は、載置胴体１２と、補強部材１４と、内側突起部１６と、を備える。
【００２８】
載置胴体１２は、弾性を有する材質から成形され、使用者の頭の後側と対向する個所に設けられるバンド状である。ゴムや合成樹脂によって成形された載置胴体１２の内側には、補強部材１４が設けられる。
【００２９】
金属帯状の補強部材１４は、載置胴体１２に結合され、金属物質によって成形されて載置胴体１２の構造剛性を補強する。金属よりも小さい重量を有するゴムや合成樹脂を用いて載置胴体１２を形成し、このような載置胴体１２の内側に補強部材１４をさらに設けて構造剛性を補強するので、骨伝導用ヘッドセット１の重量は低減させながらも構造剛性は確保することができる。
【００３０】
内側突起部１６は、使用者の頭の後側と対向する載置胴体１２から突出し、載置胴体１２に沿って長手方向に延びる。帯状に突出した突起である内側突起部１６の内側には電線が別途に設けられてもよく、このような電線は、骨伝導用ヘッドセット１の両側に位置する骨伝導部３０を電気的に連結する。
【００３１】
また、内側突起部１６も、補強部材１４とともに載置部１０の構造剛性を高めることができる。
【００３２】
一実施形態に係る載置胴体１２及び内側突起部１６は、弾性材質を用いて一体に成形され、補強部材１４は、金属材質を用いてプレス成形される。プレス成形された補強部材１４を金型内に位置させた後、液状樹脂を金型内に供給して載置胴体１２及び補強部材１４を結合する。
【００３３】
引っ掛け胴体部２０は、載置部１０の両側に着脱自在に連結され、使用者の耳に掛けられるための取付溝部２４を形成する技術思想内において様々な形状に変形可能である。一実施形態に係る引っ掛け胴体部２０は、連結胴体２２と、操作制御部２６と、を備える。
【００３４】
連結胴体２２は、載置部１０と骨伝導部３０との間を連結し、使用者の耳に掛けられるための取付溝部２４を形成する。一実施形態に係る連結胴体２２の一方の側は、載置胴体１２の両側にそれぞれ連結され、連結胴体２２の他方の側は、骨伝導部３０の端部に結合される。このような連結胴体２２は、下側に向かって凹んだ形状に取付溝部２４を形成するので、使用者の耳に掛けられる。一対の連結胴体２２は、載置部１０の両側にそれぞれ着脱自在に設けられ、このような連結胴体２２に骨伝導部３０がそれぞれ連結される。連結胴体２２は、プラスチックによって射出成形され、使用者の耳に掛けられるための凹んだ溝部である取付溝部２４を形成する。
【００３５】
操作制御部２６は、一対の連結胴体２２のうちの少なくともどちらか一方に設けられ、骨伝導部３０の動作を制御する制御信号を発生させる。操作制御部２６は、音量制御キー、電源キー及び動作状態通知光表示部を備えていてもよい。例えば、音量制御キー及び電源キーは、使用者のボタン入力、タッチ入力、ジェスチャー入力及び音声入力のうちの少なくともいずれか一つによってスイッチング可能である。なお、音量制御キーは、音量増加キーと、音量減少キーと、を備えていてもよい。
【００３６】
骨伝導部３０は、引っ掛け胴体部２０に着脱自在に連結され、使用者の頭に密着されて振動で音を伝達する技術思想内において様々な形状に形成可能である。一実施形態に係る骨伝導部３０は、コネクター胴体３１と、載置溝部３４と、振動伝達部３５と、振動低減部材３９と、を備える。骨伝導部３０の外側は、弾性を有する材質から成形され、使用者の頭に密着されて弾性変形されるので、使用者の頭に骨伝導部３０が密着された状態を持続的に保つことができる。このような骨伝導部３０は、使用者の頭の左側及び右側にそれぞれ密着されて振動で音を伝送する。
【００３７】
コネクター胴体３１は、連結胴体２２に着脱自在に連結され、弾性を有する材質から成形される。コネクター胴体３１の端部から突出したコネクター突起３３は、引っ掛け胴体部２０の連結胴体２２の内側に挿入された後、ボルトによって締め付けられる。
【００３８】
したがって、連結胴体２２の両側にコネクター胴体３１が連結される。引っ掛け胴体部２０と対向するコネクター胴体３１の外側には蛇腹部３２が形成され、蛇腹部３２を中心として骨伝導部３０が使用者の頭に向かって撓む。したがって、骨伝導部３０が使用者の頭に接しながら外側に拡開されるとき、蛇腹部３２を中心としてコネクター胴体３１が回転するので、骨伝導部３０が安定的に使用者の頭に密着可能になる。このとき、骨伝導部３０は、撓み易いゴムや樹脂によって射出成形されるので、使用者の頭の屈曲に対応する形状にコネクター胴体３１の形状の変形が手軽に行われる。
【００３９】
一方、コネクター突起３３が引っ掛け胴体部２０の端部に配備された溝に挿入されて結合されるとき、コネクター突起３３と、引っ掛け胴体部２０の溝部への電気的な連結のための伝導体と、がそれぞれ設けられてもよい。したがって、コネクター突起３３を引っ掛け胴体部２０の端部に配備された溝部に嵌め込む作業だけで、骨伝導部３０及び引っ掛け胴体部間の機械的な連結及び電気的な連結が同時に行われ得る。
【００４０】
また、骨伝導部３０のコネクター胴体３１は、使用者の頭に向かって凹んだ曲面形状を形成する。これにより、コネクター胴体３１の載置溝部３４に取り付けられた振動伝達部３５が使用者の頭に密着されるので、骨伝導用ヘッドセット１のフィット感を向上させ、向上した音質を伝達することができる。もし、振動伝達部３５及び使用者の頭間の密着感が低下すれば、音質の中周波帯域や高周波帯域の伝送が遅くなる虞がある。
【００４１】
載置溝部３４は、コネクター胴体３１から使用者の頭に向かって突出し、内側には振動伝達部３５が設けられるための溝部を形成する。一実施形態に係る載置溝部３４は、使用者の頭と対向するコネクター胴体３１の側面からパイプ状に突出する保護隔壁を備える。保護隔壁を形成する理由は、振動伝達部３５が載置溝部３４に取り付けられるときに安定的に固定及び載置されるように導き、外部の衝撃から振動伝達部３５を保護するためである。
【００４２】
例えば、保護隔壁の高さは、振動伝達部３５の厚さに等しいか、或いは、振動伝達部３５の厚さよりも薄くてもよい。その理由は、振動伝達部３５が使用者の頭に密着されるようにすることで、振動による音質を向上させるためである。
【００４３】
また、振動伝達部３５は、載置溝部３４に振動伝達部３５が結合されるとき、載置溝部３４から一部が突出してもよい。その理由は、振動伝達部３５が使用者の頭に密着されるようにすることで、振動による音質を向上させるためである。
【００４４】
載置溝部３４に振動伝達部３５が結合されるとき、載置溝部３４から突出する振動伝達部３５の突出領域は、使用者の頭に密着されるようにポリマー材質や弾性材質から形成されてもよい。
【００４５】
振動伝達部３５は、載置溝部３４の内側に挿入され、オーディオ信号に対応する振動を発生させて使用者の頭に振動を伝達する技術思想内において種々の骨伝導発生装置が使用可能である。一実施形態に係る振動伝達部３５は、振動伝達胴体３６と、突出係止部３７と、振動低減孔３８と、を備える。
【００４６】
振動伝達胴体３６は、骨伝導用振動子の外側を包み、円筒状に形成される。弾性体から成形された振動伝達胴体３６は、載置溝部３４の内側に挿入されて固定される。載置溝部３４の底面と対向する振動伝達胴体３６の内側には、振動子と連結されるための連結電線が設けられる。連結電線は、振動伝達胴体３６の内側及び載置溝部３４の底面を電気的に連結する。
【００４７】
振動伝達胴体３６及び載置溝部３４がそれぞれ弾性材質から成形されるので、振動伝達胴体３６は、載置溝部３４の内側にしばり嵌めによって着脱自在に設けられる。
【００４８】
もし、振動伝達胴体３６が直接的に使用者の外耳骨に接触された状態であれば、骨伝導振動子の振動が振動伝達胴体３６を介して使用者の外耳骨に直接的に伝達され、操作制御部２６においては、これを考慮してオーディオ信号基準値に基づいて振動増幅有無を決定してオーディオ信号に対応する振動を発生させる。
【００４９】
突出係止部３７は、振動伝達胴体３６から延びて載置溝部３４の外側に引っ掛けられ、使用者の頭と直接的に接触される部分である。突出係止部３７及び振動伝達胴体３６は一体に成形され、ゴムなどの弾性材質から成形される。円筒状に成形される振動伝達胴体３６の端部に連結される突出係止部３７の周縁は、振動伝達胴体３６の外側に突出して載置溝部３４の端部に引っ掛かる。
【００５０】
振動伝達胴体３６の少なくともいずれか一つの部分には、振動低減孔３８が設けられる。
【００５１】
振動低減孔３８は、振動伝達部３５の内部空気の振動によって形成された振動伝達部３５の内部音波を振動伝達胴体３６の外部に流出させるのに使用し、振動伝達胴体３６の振動によって振動伝達胴体３６の外部に押された空気が漏音音波と干渉を引き起こして漏音音波の振幅を減少させる。
【００５２】
骨伝導部３０のエネルギー変換装置（図示せず）が振動板を振動させると、振動伝達胴体３６もエネルギー変換装置につれて振動して外部の空気を押し出し、これにより、空気中に伝搬される漏音音波が形成される。
【００５３】
振動伝達胴体３６の内部空気が押されて形成される振動伝達胴体３６の内部音波を振動低減孔３８を介して振動伝達胴体３６の外部に送出し、漏音音波と干渉を引き起こして骨伝導用ヘッドセット１の漏音を抑える。
【００５４】
振動低減部材３９は、振動伝達部３５と対向する載置溝部３４の内側に位置し、振動伝達部３５において発生された振動を低減させる技術思想内においてスポンジなどの緩衝部材が用いられる。
【００５５】
図７に示すように、引っ掛け胴体部２０は、載置部１０から骨伝導部３０に向かってツイスト（ｔｗｉｓｔ）されるツイストバー状であってもよい。したがって、引っ掛け胴体部２０に締め付けられる骨伝導部３０が使用者の頭に密着可能になる。
【００５６】
また、引っ掛け胴体部２０は、載置部１０から骨伝導部３０に向かって所定の角度だけ傾くように配置されてもよい。これにより、骨伝導部３０は、使用者の頭のうち耳周りに安定的に載置可能になる。
【００５７】
更に、載置部１０の一方の側（図７を基準として左側）と引っ掛け胴体部２０との間に位置する垂直仮想線を第１の基準線Ｌ１と称し、載置部１０の他方の側（図７を基準として右側）と引っ掛け胴体部２０との間に位置する垂直仮想線を第４の基準線Ｌ４と称する。
【００５８】
更にまた、骨伝導用ヘッドセット１の一方の側に位置する引っ掛け胴体部２０と骨伝導部３０との間に位置する垂直仮想線を第２の基準線Ｌ２と称し、骨伝導用ヘッドセット１の他方の側に位置する引っ掛け胴体部２０と骨伝導部３０との間に位置する垂直仮想線を第３の基準線Ｌ３と称する。
【００５９】
第１の基準線Ｌ１と第４の基準線Ｌ４との間の間隔を第２の距離Ｐ２と称し、第２の基準線Ｌ２と第３の基準線Ｌ３との間の距離を第１の距離Ｐ１と称する。
【００６０】
第２の距離Ｐ２よりも第１の距離Ｐ１の長さが短く形成される。より具体的には、引っ掛け胴体部２０が載置部１０と連結される部分の左右の長さよりも、引っ掛け胴体部２０が骨伝導部３０と連結される部分の左右の長さが短く形成されるので、骨伝導部３０が使用者の頭に安定的に密着可能になる。
【００６１】
また、載置部１０の両側端間の距離よりも、一対の骨伝導部３０間の距離を更に狭く配置するので、骨伝導部３０が使用者の頭に安定的に密着されて使用者のフィット感を向上させることができる。
【００６２】
図４に示すように、本発明の骨伝導用ヘッドセット１は、低周波、中周波及び高周波帯域の音響の出力が既存に比べて向上するだけではなく、中周波帯域及び高周波帯域の音響の出力が、既存に比べてノイズが減少して音質が更に向上することが分かる。したがって、本発明は、骨伝導部３０が使用者の頭に密着される密着性が向上するように、ヘッドセットの載置部１０、引っ掛け胴体部２０及び骨伝導部３０の配置関係を制御するので、使用者に優れた品質の音響を提供することができる。
【００６３】
図８に示すように、端末４０は、操作制御部２６と無線で連結され、データの送受信が行われる。したがって、端末４０にインストールされたアップを制御して操作制御部２６及び骨伝導部３０の動作を制御することができる。
【００６４】
動作感知部５０は、載置部１０と、引っ掛け胴体部２０と、骨伝導部３０とのうちの少なくともいずれか一つに設けられ、使用者の動作を感知して操作制御部２６に測定値を伝達する。例えば、使用者が歩いたり走ったりする動作をすれば、これを感知して操作制御部２６に測定値を伝達するので、使用者の運動量を手軽に測定及び分析することができる。
【００６５】
音響受信部６０は、載置部１０と、引っ掛け胴体部２０と、骨伝導部３０とのうちの少なくともいずれか一つに設けられ、音を感知して操作制御部２６に測定値を伝達する。音響受信部６０によって測定された音を感知して使用者に増幅された音を伝達する補聴器の機能を行うことができる。
【００６６】
以下では、添付図面を参照して本発明の一実施形態に係る骨伝導用ヘッドセット１の作動状態について詳細に説明する。
【００６７】
骨伝導用ヘッドセット１の引っ掛け胴体部２０や載置部１０には充電用ジャックが配備されて、必要に応じて充電作業が手軽に行われる。なお、操作制御部２６に配備されたボタンを操作して電源を入れるとともに、ブルートゥース(登録商標)の機能を作動させることができる。したがって、周りの携帯電話や電子機器とペアリングが行われ、近距離無線ネットワーキングが手軽に行われる。
【００６８】
骨伝導用ヘッドセット１が補聴器の機能を兼ねる場合、音響受信部６０を用いて外部の音を測定した後、操作制御部２６に測定値を送り、操作制御部２６は、骨伝導部３０を動作させる制御信号を発生して使用者に音を伝達する。
【００６９】
また、骨伝導用ヘッドセット１の内部に設けられた動作感知部５０を用いて使用者が走行若しくは歩行の有無をチェックし、且つ、運動量を測定して端末４０を用いて表示するので、使用者の運動量を手軽に測定することができる。
【００７０】
或いは、携帯電話をはじめとする端末４０のアプリケーションやアップを用いて骨伝導用ヘッドセット１を制御することができ、各種の出力値が端末４０を介して使用者に通知される。
【００７１】
上述したように、本発明によれば、載置部１０と、引っ掛け胴体部２０及び骨伝導部３０が着脱自在に設けられ、製品が破損したときに当該部品のみを取り替えることができるので、メンテナンスコストを節減することができる。また、使用者の頭に振動を伝達する骨伝導方式で音を伝達するので、長時間に亘ってヘッドセットを着用しても不便が加重されず、聴力を保護することができる。更に、弾性を有する材質から成形される骨伝導部３０が使用者の頭に接しながら弾性変形されるので、骨伝導部３０が使用者の頭に柔らかく密着されて着用感（フィット感）を向上させることができ、骨伝導部３０によって発生された音が外側に漏れ出る現象を防ぐことができる。更にまた、音響受信部６０によって測定された値に基づいて骨伝導部３０が動作して補聴器の機能を行うので、使用者の使い勝手を向上させることができる。加えて、使用者が歩いたり走ったりする動作を感知する動作感知部５０を用いて使用者の運動量を計算した後、端末４０を介して使用者に通知することができるので、使用者の運動量を手軽に測定することができる。
【００７２】
本発明は、図面に示す実施形態を参考として説明されたが、これは単なる例示的なものに過ぎず、当該技術が属する分野において通常の知識を有する者であれば、これより種々の変形及び均等な他の実施形態が可能であるということが理解できる筈である。
【００７３】
よって、本発明の真の技術的な保護範囲は、下記の特許請求の範囲によって定められるべきである。
【図１】
2019508916.tif 000003
【図２】
2019508916.tif 000004
【図３】
2019508916.tif 000005
【図４】
2019508916.tif 000006
【図５】
2019508916.tif 000007
【図６】
2019508916.tif 000008
【図７】
2019508916.tif 000009
【図８】
2019508916.tif 000010
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
使用者の頭の後側を帯状に包み込む載置部と、
前記載置部の両側に着脱自在に連結され、前記使用者の耳に掛けられるための取付溝部を形成する引っ掛け胴体部と、
前記引っ掛け胴体部に着脱自在に連結され、前記使用者の頭に密着されて振動で音を伝達する骨伝導部と、
を備え、
前記骨伝導部の外側は、弾性を有する材質から成形されることを特徴とし、
前記載置部は、
弾性を有する材質から成形され、前記使用者の頭の後側と対向する個所に設けられるバンド状の載置胴体と、
前記載置胴体に結合し、金属物質から成形されて前記載置胴体の構造の剛性を補強する補強部材と、
前記使用者の頭の後側と対向する前記載置胴体から突出し、前記載置胴体に沿って長手方向に延びる内側突起部と、
を備え、
前記引っ掛け胴体部は、
一方の側は前記載置胴体の両側にそれぞれ連結され、他方の側は前記骨伝導部の端部に結合し、下側に向かって凹んだ形状に前記取付溝部を形成し、前記使用者の耳に掛けられる一対の連結胴体と、
一対の前記連結胴体のうちの少なくともどちらか一方に設けられ、前記骨伝導部の動作を制御する操作制御部と、
を備え、
前記骨伝導部は、
前記連結胴体に着脱自在に連結され、弾性を有する材質から成形されるコネクター胴体と、
前記コネクター胴体から前記使用者の頭に向かって突出する載置溝部と、
前記載置溝部の内側に挿入され、オーディオ信号に対応する振動を発生させて前記使用者の頭に振動を伝達する振動伝達部と、
を備え、
前記振動伝達部は、
骨伝導用振動子の外側を包み、前記載置溝部に挿入される振動伝達胴体と、
前記振動伝達胴体から延びて前記載置溝部の外側に引っ掛けられ、前記使用者の頭と接触される突出係止部と、
前記振動伝達胴体に形成される振動低減孔と、
を備え、
前記振動伝達部の内部空気の振動によって形成された前記振動伝達部の内部音波は、前記振動低減孔を介して前記振動伝達胴体の外部に移動して漏音音波の振幅を減少させることを特徴とし、
前記コネクター胴体の端部から突出したコネクター突起は、前記引っ掛け胴体部の内側に挿入された後にボルトによって締結され、
前記コネクター突起及び前記引っ掛け胴体部の溝部に電気的な連結のための伝導体がそれぞれ設けられることを特徴とする骨伝導用ヘッドセット。
【請求項２】
前記骨伝導部は、前記振動伝達部と対向する前記載置溝部の内側に位置し、前記振動伝達部において発生した振動を低減させる振動低減部材を更に備えることを特徴とする請求項１に記載の骨伝導用ヘッドセット。
【請求項３】
前記操作制御部と無線で連結され、データの送受信が行われる端末を備え、
前記端末にインストールされたアップを制御して前記操作制御部及び前記骨伝導部の動作を制御することを特徴とする請求項１に記載の骨伝導用ヘッドセット。
【請求項４】
前記載置部と、前記引っ掛け胴体部と、前記骨伝導部とのうちの少なくともいずれか一つに設けられ、前記使用者の動作を感知して前記操作制御部に測定値を伝達する動作感知部を更に備えることを特徴とする請求項３に記載の骨伝導用ヘッドセット。
【請求項５】
前記載置部と、前記引っ掛け胴体部と、前記骨伝導部とのうちの少なくともいずれか一つに設けられ、音を感知して前記操作制御部に測定値を伝達する音響受信部を更に備えることを特徴とする請求項３に記載の骨伝導用ヘッドセット。
【国際調査報告】
2019508916.tif 000011
2019508916.tif 000012
2019508916.tif 000013
2019508916.tif 000014